(57)【要約】【課題】本発明は、構造が簡単で小型化が容易にできる絞り切替装置、それを備えたカメラ装置及び電子機器を提供する。【解決手段】本発明の絞り切替装置は、絞りに対応して設けられた第１透光孔、回転接続部、滑動溝、及び位置規制部を有するベースと、絞りに対応して設けられた第２透光孔を有し、ベースに蓋をするように合わせられるケースと、駆動電源入力端子であり、ベースに固定されるクランプ部と、両端がそれぞれ対応するクランプ部に電気的に接続される形状記憶合金ワイヤと、形状記憶合金ワイヤに連結し、且つ滑動溝内に滑動可能に設けられる可動突起と、位置規制部と可動突起の間に設けられる弾性部材と、一つの端部が回転接続部に取り付けられ、且つ端部に切替溝が設けられ、切替溝が可動突起に取り付けられる光学口径切替ユニットと、を備える。【選択図】図１
2020134936.tif 000002
【特許請求の範囲】
【請求項１】
絞りに対応して設けられた第１透光孔、回転接続部、滑動溝、及び位置規制部を有するベースと、
前記絞りに対応して設けられた第２透光孔を有し、前記ベースに蓋をするように合わせられるケースと、
駆動電源入力端子であり、前記ベースに固定されるクランプ部と、
両端がそれぞれ対応する前記クランプ部に電気的に接続される形状記憶合金ワイヤと、
前記形状記憶合金ワイヤに連結し、且つ前記滑動溝内に滑動可能に設けられる可動突起と、
前記位置規制部と前記可動突起の間に設けられる弾性部材と、
一つの端部が前記回転接続部に取り付けられ、且つ前記端部に切替溝が設けられ、前記切替溝が前記可動突起に取り付けられる光学口径切替ユニットと、を備える、
ことを特徴とする絞り切替装置。
【請求項２】
前記光学口径切替ユニットは、第１可動部と第２可動部を含み、前記第１可動部には第３透光孔が設けられ、前記第２可動部には第４透光孔が設けられ、
前記第１可動部と前記第２可動部は重ね合わされており、前記第１可動部と前記第２可動部が相対的に回転するとき、前記第３透光孔と前記第４透光孔が前記絞りの大きさを調節する、
ことを特徴とする請求項１に記載の絞り切替装置。
【請求項３】
前記第１可動部と前記第２可動部は、それぞれに取付孔が設けられており、前記取付孔を介して前記回転接続部に取り付けられる、
ことを特徴とする請求項２に記載の絞り切替装置。
【請求項４】
前記切替溝は、第１切替溝と第２切替溝を含み、
前記第１切替溝は前記第１可動部に設けられ、前記第２切替溝は前記第２可動部に設けられており、
前記第１切替溝と前記第２切替溝は、交差して重ね合わされて前記可動突起に取り付けられる、
ことを特徴とする請求項２又は３のいずれか一項に記載の絞り切替装置。
【請求項５】
前記ベースには、第１ストッパー及び第２ストッパーがさらに設けられ、前記第１ストッパー、前記第２ストッパー及び前記位置規制部は前記滑動溝の周囲を取り囲んでおり、
前記弾性部材は、その一端が前記位置規制部に当接又は固定され、他端が前記可動突起に当接又は固定され、
前記第１可動部及び前記第２可動部は、前記第１ストッパーと前記第２ストッパーとの間に位置して回転する
ことを特徴とする請求項２に記載の絞り切替装置。
【請求項６】
前記弾性部材は、位置制限部と係合部を含み、前記位置制限部と前記係合部との間は弾性部により接続され、
前記位置制限部は、前記位置規制部に当接又は固定され、
前記係合部は、前記可動突起に係合される、
ことを特徴とする請求項５に記載の絞り切替装置。
【請求項７】
前記位置制限部と前記弾性部が相連なる形状は略Ｄ字状であり、前記係合部の形状は略Ｍ字状である、
ことを特徴とする請求項６に記載の絞り切替装置。
【請求項８】
請求項１乃至７のいずれか一項に記載の絞り切替装置を備えたカメラ装置。
【請求項９】
請求項８に記載のカメラ装置を備えた電子機器。
【発明の詳細な説明】
【技術分野】
【０００１】
本発明は、電子機器の領域に関し、特に、絞り切替装置及びそれを備えたカメラ装置、電子機器に関する。
【背景技術】
【０００２】
スマートフォン、タブレットパソコンなどの携帯型電子機器の普及に伴い、これらの電子機器に撮影機能を付けることが可能となっている。例えば一例として、ボイスコイルモータ式携帯電話カメラモジュール絞り切替装置がよく見られる。
【発明の概要】
【発明が解決しようとする課題】
【０００３】
しかし、ボイスコイルモータ式携帯電話カメラモジュール絞り切替装置は、駆動構造が複雑で、製品自体の体積が縮小しにくい。絞り切替装置の構造は、カメラモータの構造と統合して設計する必要があり、独立した機能部品にならず、異なるモジュールに対して整合性のある組立を選択しなければならない。また、絞り切替装置の電磁部品は、カメラのボイスコイルモータとの電磁干渉が発生しやすい。
【０００４】
以上に鑑みて、当業者は絞り切替装置の構造を早急に改善して、上記技術問題を解決する必要がある。
【０００５】
したがって、本発明の解決すべき課題は、従来技術における絞り切替装置の構造が複雑で、体積が縮小しにくいという欠陥を解決することであり、本発明は、構造が簡単で小型化が容易にできる絞り切替装置、カメラ装置及び電子機器を提供することを目的とする。
【課題を解決するための手段】
【０００６】
本発明の一つの態様は絞り切替装置にあり、この絞り切替装置は、絞りに対応して設けられた第１透光孔、回転接続部、滑動溝、及び位置規制部を有するベースと、前記絞りに対応して設けられた第２透光孔を有し、前記ベースに蓋をするように合わせられるケースと、駆動電源入力端子であり、前記ベースに固定されるクランプ部と、両端がそれぞれ対応する前記クランプ部に電気的に接続される形状記憶合金ワイヤと、前記形状記憶合金ワイヤに連結し、且つ前記滑動溝内に滑動可能に設けられる可動突起と、前記位置規制部と前記可動突起の間に設けられる弾性部材と、一つの端部が前記回転接続部に取り付けられ、且つ前記端部に切替溝が設けられ、前記切替溝が前記可動突起に取り付けられる光学口径切替ユニットと、を備える。
【０００７】
好ましくは、前記光学口径切替ユニットは、第１可動部と第２可動部を含み、前記第１可動部には第３透光孔が設けられ、前記第２可動部には第４透光孔が設けられ、前記第１可動部と前記第２可動部は重ね合わされており、前記第１可動部と前記第２可動部が相対的に回転するとき、前記第３透光孔と前記第４透光孔が前記絞りの大きさを調節する。
【０００８】
好ましくは、前記第１可動部と前記第２可動部は、それぞれに取付孔が設けられており、前記取付孔を介して前記回転接続部に取り付けられる。
【０００９】
好ましくは、前記切替溝は、第１切替溝と第２切替溝を含み、前記第１切替溝は前記第１可動部に設けられ、前記第２切替溝は前記第２可動部に設けられており、前記第１切替溝と前記第２切替溝は、交差して重ね合わされて前記可動突起に取り付けられる。
【００１０】
好ましくは、前記ベースには、第１ストッパー及び第２ストッパーがさらに設けられ、前記第１ストッパー、前記第２ストッパー及び前記位置規制部は前記滑動溝の周囲を取り囲んでおり、前記弾性部材は、その一端が前記位置規制部に当接又は固定され、他端が前記可動突起に当接又は固定され、前記第１可動部及び前記第２可動部は、前記第１ストッパーと前記第２ストッパーとの間に位置して回転する。
【００１１】
好ましくは、前記弾性部材は、位置制限部と係合部を含み、前記位置制限部と前記係合部との間は弾性部により接続され、前記位置制限部は、前記位置規制部に当接又は固定され、前記係合部は、前記可動突起に係合される。
【００１２】
好ましくは、前記位置制限部と前記弾性部が相連なる形状は略Ｄ字状であり、前記係合部の形状は略Ｍ字状である。
【００１３】
好ましくは、前記クランプ部は導電端子である。
【００１４】
また、本発明の他の態様はカメラ装置であり、このカメラ装置は、前記絞り切替装置を備える。
【００１５】
また、本発明のさらに他の態様は電子機器であり、この電子機器は、前記カメラ装置を備える。
【発明の効果】
【００１６】
本発明の絞り切替装置によれば、形状記憶合金ワイヤが可動突起を動かし、それによって光学口径切替ユニットが動いて、絞りの口径を切り替えることができる。そのため、構造が簡単であり、小型化が容易にできる。また、単一の形状記憶合金ワイヤと駆動電源入力端子であるクランプ部が、駆動ユニットを構成している。カメラのボイスコイルモータと電磁干渉しないので、カメラモジュールのレンズに独立して搭載できる調整可能な絞り切替装置を形成することができる。
【００１７】
可動突起と滑動溝が、動き変換ユニットを構成する。光学口径切替ユニットは複数の遮光シートにより構成され、遮光シートにはサイズの異なる複数の光学口径の開口孔が形成されている。そのうち、可動突起は、光学口径切替ユニットに設置された切替溝を案内して、遮光シートの相対的組み合わせ関係を切り替えることで、光進入口径の大きさを変更する。また、弾性部材が動き回復ユニットを構成し、動き変換ユニットと光学口径切替ユニットの位置の復元を実現する。
【００１８】
支持用ベースであるベースには光学開口部である第１透光孔が形成されて、上記の各ユニットを収納する。また、ハウジングとしてのケースにも光学開口部である第２透光孔が形成されて支持用ベースと接合して、装置全体を密封し、保護する。
【図面の簡単な説明】
【００１９】
本発明の上記特徴及びその他の特徴、性質及び利点は、図面及び実施形態の説明によりさらに顕著になり、図面における同じ符号は同じ構成を示す。
【図１】本発明による絞り切替装置の分解図である。
【図２】本発明による絞り切替装置のケースを開いた状態の模式図である。
【図３】本発明による絞り切替装置の内部構造の分解模式図である。
【図４】本発明による絞り切替装置の内部全体構造の模式図である。
【図５】本発明による絞り切替装置の弾性部材の構造模式図である。
【図６】本発明による絞り切替装置のクランプ部の構造模式図である。
【発明を実施するための形態】
【００２０】
以下、本発明の目的、特徴点及び効果をより分かりやすくするために、図面に基づいて本発明の実施形態に対して詳しく説明する。以下の説明は本発明の好ましい実施形態であり、全図面において、同じ符号は同じ又は相似な構成を示す。また、本明細書で使う用語は、ほぼ周知の用語を使うが、本発明の特徴を明確に説明するためには一部用語を発明者の判断によって選用する。関連部分については、明細書で詳しく説明する。なお、使用した用語は、実際の意味だけではなく、暗示する意味も含んで理解されたい。
【００２１】
本発明の実施形態において、図１は、本発明による絞り切替装置の分解図である。図２は、本発明による絞り切替装置のケースを開いた状態の模式図である。図３は、本発明による絞り切替装置の内部構造の分解模式図である。図４は、本発明による絞り切替装置の内部構造の全体構造の模式図である。図５は、本発明による絞り切替装置の弾性部材の構造模式図である。図６は、本発明による絞り切替装置のクランプ部の構造模式図である。
【００２２】
図１〜図６に示すように、本発明の実施形態による絞り切替装置は、それぞれ四角形のベース１０とケース２０を含んでおり、ベース１０には絞りに対応して第１透光孔１１が設けられ、ケース２０には絞りに対応して第２透光孔２１が設けられており、ケース２０はベース１０に蓋をするように合わせられる。また、ベース１０には、回転接続部１２と滑動溝１３が設けられており、絞り切替装置は、クランプ部３０と、形状記憶合金ワイヤ４０と、可動突起５０と、弾性部材６０と、光学口径切替ユニット７０をさらに含んでいる。
【００２３】
クランプ部３０（例えば、本実施形態では、二つのクランプ部３０が使われたが、クランプ部３０の数には制限がない。ここでは一例に過ぎない）は、駆動電源入力端子であり、ベース１０に固定される。ここで、クランプ部３０は導電端子であることが好ましい。
【００２４】
形状記憶合金ワイヤ４０の両端は、それぞれ対応するクランプ部３０に連結されている。可動突起５０は、形状記憶合金ワイヤ４０と連結し、且つ滑動溝１３内に滑動可能に設けられる。弾性部材６０は、回転接続部１２に固定されて、可動突起５０に当接する。光学口径切替ユニット７０は、一つの端部が回転接続部１２に取り付けられ且つその端部には切替溝が形成されており、切替溝は可動突起５０に取り付けられる。
【００２５】
このように、電流がクランプ部３０を通じて形状記憶合金ワイヤ４０に流れると、形状記憶合金ワイヤ４０は、収縮し、動かされた可動突起５０は、弾性部材６０の弾力に打ち勝ちながら滑動溝１３内を第１透光孔１１の方向に向かって移動する。可動突起５０は、前記切替溝を移動させ、これにより、光学口径切替ユニット７０を制御して、重なり状態を変えて、絞りを切替する役割を果たす
【００２６】
好ましくは、光学口径切替ユニット７０は、第１可動部７１と第２可動部７２を含み、第１可動部７１には第３透光孔７１１が設けられ、第２可動部７２には第４透光孔７２１が設けられている。第３透光孔７１１及び第４透光孔７２１は、それぞれ大きさが異なり中心がずれた２つの円によって形成された形状をしており、第３透光孔７１１と第４透光孔７２１の重なりにより絞りが形成される。第１可動部７１と第２可動部７２は重ね合わされており、第１可動部７１と第２可動部７２が相対的に回転すると、第３透光孔７１１と第４透光孔７２１の重なり合う位置が変わることにより前記絞りの大きさが調節される。
【００２７】
さらに、第１可動部７１と第２可動部７２は、それぞれに取付孔Ａが設けられており、取付孔Ａを介して回転接続部１２に取り付けられる。前記切替溝は、第１切替溝７１２と第２切替溝７２２を含み、第１切替溝７１２は第１可動部７１に設けられ、第２切替溝７２２は第２可動部７２に設けられている。第１切替溝７１２と第２切替溝７２２は、第１可動部７１と第２可動部７２がベース１０に取り付けられたときに、滑動溝１３を中心に互いに線対称に斜めとなるように形成されており、互いに交差して重ね合わされて可動突起５０に取り付けられる。
【００２８】
さらに好ましくは、ベース１０には、位置規制部１４、第１ストッパー１５及び第２ストッパー１６が設置されており、第１ストッパー１５、第２ストッパー１６及び位置規制部１４は滑動溝１３の周囲を取り囲んでいる。弾性部材６０は、その一端が位置規制部１４に当接又は固定され、他端が可動突起５０に当接又は固定される。第１可動部７１及び第２可動部７２は、第１ストッパー１５と第２ストッパー１６との間に位置して回転することで、第１可動部７１と第２可動部７２との間の回転角度が制限され、絞りの大きさが調節されるようになっている。
【００２９】
詳しくは、図４に示すように、本実施形態における二つのクランプ部３０は、ベース１０の向かい合う二つの対角の位置にそれぞれ取り付けられ、回転接続部１２は、ベース１０の一つの頂角の位置に設けられ、回転接続部１２はクランプ部３０の中間に位置し、滑動溝１３は、回転接続部１２の斜め上方に縦向きに形成され、位置規制部１４は滑動溝１３の斜め上方に設けられる。第１ストッパー１５は、回転接続部１２の左側に設けられ、ベース１０の一つの側辺の部分に位置し、第２ストッパー１６は、回転接続部１２の右側に設けられ、ベース１０の前記側辺に隣接する他の側辺の部分に位置している。
【００３０】
形状記憶合金ワイヤ４０の両端は、二つのクランプ部３０にそれぞれ連結し、且つ、形状記憶合金ワイヤ４０は可動突起５０に押し広げて連結されたので、Ｌ字型を成している。すなわち、可動突起５０は、このＬ字型の交差部分に連結され、回転接続部１２と滑動溝１３が、このＬ字型の交差部分に対応するベース１０の角部に設けられている。これにより、形状記憶合金ワイヤ４０が、第１ストッパー１５と第２ストッパー１６の内側に位置されるようにする。形状記憶合金ワイヤ４０を伸ばしたり縮めたりする駆動に伴って、可動突起５０が滑動溝１３内を滑動することができて、第１可動部７１及び第２可動部７２を回転させることができる。
【００３１】
ここで、好ましくは、弾性部材６０は、位置制限部６１と係合部６２を含み、位置制限部６１と係合部６２との間が弾性部６３により接続され、位置制限部６１が位置規制部１４に当接又は固定され、係合部６２が可動突起５０に係合されるようにする。位置制限部６１と弾性部６３が相連なる形状は略Ｄ字状であることが好ましく、係合部６２の形状は略Ｍ字状であることが好ましい。係合部６２は、推進及び係合作用を有し、弾性部材６０の働きは、推力及び回復力を発生することである。
【００３２】
上述の構成説明によれば、本発明による絞り切替装置は、全体として、駆動ユニット、動き変換ユニット、光学口径切替ユニット、動き回復ユニット、ベース及びケースに分けることもできる。そのうち、駆動ユニットは、単一の形状記憶合金ワイヤ４０と駆動電源入力端子であるクランプ部３０により構成される。カメラのボイスコイルモータと電磁干渉しないので、カメラモジュールのレンズに独立して搭載できる調整可能な絞り切替装置を形成することができる。
【００３３】
動き変換ユニットは、可動突起５０及び滑動溝１３により構成され、光学口径切替ユニット７０は複数の遮光シート（即ち、第１可動部７１、第２可動部７２など）により構成され、遮光シートにはサイズの異なる複数の光学口径の開口孔が形成されている。そのうち、可動突起５０は、光学口径切替ユニットに設置された切替溝を案内して、遮光シートの相対的組み合わせ関係を切り替えることで、光進入口径の大きさを変更する。
【００３４】
また、動き回復ユニットは弾性部材６０により構成される。即ち、本実施形態における弾性部材６０は、動き変換ユニットと光学口径切替ユニットの位置の復元を実現する。
【００３５】
また、支持用ベース（即ち、本実施形態におけるベース１０）には光学開口部である第１透光孔１１が形成されて、上記の各ユニットを収納する。また、ハウジング（即ち、本実施形態におけるケース２０）にも光学開口部である第２透光孔２１が形成されて、支持用ベース（ベース１０）と接合して、装置全体を密封し、保護する。
【００３６】
形状記憶合金ワイヤ４０に通電すると、形状記憶合金ワイヤ４０は収縮し、可動突起５０は、滑動溝１３内を滑動するように駆動されて、第１切替溝７１２及び第２切替溝７２２を滑動する。これによって、二つの取付孔Ａを貫通した回転接続部１２を中心として第１可動部７１と第２可動部７２が伴って相対的に回転することで、第３透光孔７１１と第４透光孔７２１との交差重合部分を調節して、絞りの大きさに対する調節を実現する。
【００３７】
以上の構成に基づいて、本発明の実施形態では、上記の構成を有する絞り切替装置を備えたカメラ装置も提供する。
【００３８】
以上の構成に基づいて、本発明の実施形態では、上記の構成を有するカメラ装置を備えた電子機器も提供する。
【００３９】
以上のように、本発明の実施形態の絞り切替装置は、形状記憶合金ワイヤを使った駆動によって、カメラモジュールのレンズへ独立に搭載することができ、レンズへの光進入口径の大きさを変えて結像システムに入る光量を調節することができる。従って、本実施形態の絞り切替装置は、構造が簡単であり、小型化が容易にできる。
【００４０】
このように図面に基づいて本発明の好ましい実施形態を説明したが、本発明は上記実施形態に限定されず、本発明の趣旨に基づいて変更または改善することができる。また、当業者であれば、本発明の明細書及びその図面に対する理解などに基づいて、明細書を変更または改善することができ、本発明の特許請求の範囲内において、いずれも本発明に含まれる。
【符号の説明】
【００４１】
１０：ベース
２０：ケース
１１：第１透光孔
２１：第２透光孔
１２：回転接続部
１３：滑動溝
３０：クランプ部
４０：形状記憶合金ワイヤ
５０：可動突起
６０：弾性部材
７０：光学口径切替ユニット
７１：第１可動部
７２：第２可動部
７１１：第３透光孔
７２１：第４透光孔
Ａ：取付孔
７１２：第１切替溝
７２２：第２切替溝
１４：位置規制部
１５：第１ストッパー
１６：第２ストッパー
６１：位置制限部
６２：係合部
６３：弾性部
【図１】
2020134936.tif 000003
【図２】
2020134936.tif 000004
【図３】
2020134936.tif 000005
【図４】
2020134936.tif 000006
【図５】
2020134936.tif 000007
【図６】
2020134936.tif 000008